(57)【特許請求の範囲】
【請求項１】
データ源から出力される大容量データ信号をそれぞれ異なる波長帯域の光データ信号に変換し、時分割光データ信号として出力するＮ個（Ｎは２以上の自然数）のデータ送信装置と、
前記Ｎ個のデータ送信装置から出力される光データ信号を波長多重して伝送光を出力する主波長多重器と、
光伝送路を介して前記波長多重器に接続され、受信した伝送光をＭ個（Ｍは２以上の自然数）の伝送光に分配する分配器と、
前記分配器にそれぞれ接続され、受信した伝送光から、選択したデータ送信装置から出力される光データ信号を再生するＭ個のデータ受信装置とを具え、
前記各データ送信装置は、データ源から出力される大容量データ信号を伝送回線の伝送速度に合致した複数の並列信号に変換するデータ変換手段と、データ変換手段から出力される複数の並列信号を互いに波長の異なる光信号に変換する複数の光変換器と、前記光変換器から出力される光信号を波長多重して、所定の波長帯域の光データ信号を出力する波長多重器とをそれぞれ有し、
前記データ受信装置は、選択した波長帯域に分布する信号光を選択的に出力する可変波長帯域通過フィルタ、及び、Ｋ個（Ｋは２以上の自然数）の出力ポートを有し、前記可変波長帯域通過フィルタから出力される光データ信号を所定の波長周期で前記出力ポートに順次出力する周期性フィルタを有する波長選択器と、波長選択器から出力され、異なる波長の複数の信号光をそれぞれ電気信号に変換する光電変換器と、前記光電変換器から出力される信号を多重又は分離して前記大容量データ信号を出力する変換手段とをそれぞれ有することを特徴とするデータ伝送システム。
【請求項２】
前記データ源から出力される大容量データ信号が直列データ信号の場合、前記データ変換手段は、入力した送信データをＫ１個の分離データに分離するデータ分離器として構成され、当該データ分離器から出力される分離データの速度をＢ１とし、前記送信データの伝送速度をＲ１とした場合、前記Ｋ１は、Ｒ１をＢ１で除算することにより得られる整数とすることを特徴とする請求項１に記載のデータ送信装置。
【請求項３】
前記データ源から出力される送信データが並列データの場合、前記データ変換手段は、入力した送信データをＫ２個の多重データに多重化するデータ多重器として構成され、当該データ多重器から出力される多重データの速度をＢ２とし、前記送信データの伝送速度をＲ２とした場合、前記Ｋ２は、Ｒ２をＢ２で除算することにより得られる整数とすることを特徴とする請求項１に記載のデータ送信装置。
【請求項４】
テレビカメラから出力される超高精細映像信号をそれぞれ異なる波長帯域の映像信号に変換し、時分割映像信号として出力するＮ個（Ｎは２以上の自然数）の送信端末と、
前記Ｎ個の送信端末から出力される映像信号を波長多重して伝送光として出力する主波長多重器と、
光伝送路を介して前記波長多重器に接続され、受信した伝送光をＭ個（Ｍは２以上の自然数）の伝送光に分配する分配器と、
前記分配器にそれぞれ接続され、受信した伝送光から、選択した送信端末から出力される映像信号を選択的に再生するＭ個（Ｍは２以上の自然数）の受信端末とを具え、
各送信端末は、テレビカメラから出力される超高精細映像信号を伝送回線の伝送速度に合致した複数の並列信号に変換する手段と、前記複数の並列信号を互いに波長の異なる光信号に変換する光変換器と、前記光信号を波長多重して所定の波長帯域の映像信号を出力する波長多重器とをそれぞれ有し、
各受信端末は、受信した伝送光から、選択した波長帯域に分布する信号光を選択的に出力する可変波長帯域通過フィルタ、及び、Ｋ個（Ｋは２以上の自然数）の出力ポートを有し、前記可変波長帯域通過フィルタからの出力光を所定の波長周期で各出力ポートに順次出力する周期性フィルタを有する波長選択器と、波長選択器から出力され、それぞれ異なる波長の複数の信号光をそれぞれ電気信号に変換するＫ個の光電変換器と、前記光電変換器から出力される信号を多重又は分離して前記超高精細映像データ信号を出力する変換手段とをそれぞれ有することを特徴とする放送用映像伝送システム。
【請求項５】
請求項４に記載の放送用映像伝送システムにおいて、前記送信端末はスタジオに配置され、前記受信端末のうち一部の受信端末は調整室に配置されていることを特徴とする放送用映像伝送システム。
【発明の詳細な説明】
【技術分野】
【０００１】
本発明は、複数の送信端末から送信される大容量データを、複数の受信端末で輻轄なく同時に受信可能なデータ伝送システムに関するものである。
また、本発明は、複数のテレビカメラにより撮像された超高精細映像信号を複数の受信装置において輻輳することなく同時に再生できる放送映像伝送システムに関するものである。
【背景技術】
【０００２】
従来の高精細映像（ＨＤＴＶ）は非圧縮信号でも１．５Ｇｂｐｓ程度であり、安価な同軸ケーブルによる電気信号の直列伝送が可能である上、長距離伝送のために光伝送を用いる場合にも、波長分散などの光学現象により伝送特性が著しく劣化することはなかった。近年、デジタルシネマやスーパーハイビジョンなど、超高精細かつ大容量の映像技術が登場し、チャンネル当たり最大４８Ｇｂｐｓの信号を同時に多チャンネル伝送可能なシステムが求められている。
一方、光通信では、既に１波長あたり約１０Ｇｂｐｓの伝送速度を有するＳＤＨ（同期デジタルハイアラーキ）や１０Ｇイーサネットが実用化されており、１０Ｇｂｐｓ程度までであれば伝送装置の低廉化が進んでいる。また、波長分割多重システム用の光合分波フィルタに代表される光学デバイスが安価に得られるようになっている。
【０００３】
放送に用いる映像信号を伝送する高速ネットワークが提案されている（例えば、特許文献１参照）。この既知の高速ネットワークは、ループ型の回線を用いることを特徴として、放送型の映像データを複数の端末が容易に送受信可能な時分割多重による光ネットワークシステムとして構築されている。
【０００４】
【特許文献１】特開２００１−３５２３１３号公報
【発明の開示】
【発明が解決しようとする課題】
【０００５】
映画やアニメーションの信号と異なり、生放送などで用いられる映像信号の伝送では、即時性が求められることから、非圧縮信号の伝送が望ましい。また、即時性を確保するために大きな遅延は許容されず、仮に回線輻輳時に伝送パケットの消失が発生しても、再送によりこれを回復することができない。従って、超高精細映像を伝送するネットワークでは、超高速な映像信号を安定に伝送する技術が極めて重要である。
【０００６】
一方、１０Ｇｂｐｓを超える直列信号の高速伝送では、速度が上昇するにつれて、高周波電気信号としての扱いにくさが増すばかりか、光信号の波長分散や偏波モード分散の影響が著しくなるなど技術課題が多く、システムの低廉化が困難である。
【０００７】
さらに、前述した特許文献に記載の放送型光ネットワークシステムでは、映像データ自体が回線の波長当たりの伝送容量を超える場合は想定されておらず、超高精細映像のリアルタイム伝送には適合しないものである。
【０００８】
本発明はこのような技術的背景のもとでなされたものであり、本発明の目的は、複数の端末から送信される超高精細映像などの大容量データを、複数の受信端末で、輻輳なく同時に受信できる低廉なデータ伝送システム並びに当該データ伝送システムに用いられる送信端末及び受信端末を提供することである。
さらに、本発明の別の目的は、放送番組の作成に当たり、大容量映像データを安定して高速伝送することができる放送映像伝送システムを提供することにある。
【課題を解決するための手段】
【０００９】
本発明によるデータ伝送システムは、データ源から出力される大容量データ信号をそれぞれ異なる波長帯域の光データ信号に変換し、時分割光データ信号として出力するＮ個（Ｎは２以上の自然数）のデータ送信装置と、
前記Ｎ個のデータ送信装置から出力される光データ信号を波長多重して伝送光を出力する主波長多重器と、
光伝送路を介して前記波長多重器に接続され、受信した伝送光をＭ個（Ｍは２以上の自然数）の伝送光に分配する分配器と、
前記分配器にそれぞれ接続され、受信した伝送光から、選択したデータ送信装置から出力される光データ信号を再生するＭ個のデータ受信装置とを具え、
前記各データ送信装置は、データ源から出力される大容量データ信号を伝送回線の伝送速度に合致した複数の並列信号に変換するデータ変換手段と、データ変換手段から出力される複数の並列信号を互いに波長の異なる光信号に変換する複数の光変換器と、前記光変換器から出力される光信号を波長多重して、所定の波長帯域の光データ信号を出力する波長多重器とをそれぞれ有し、
前記データ受信装置は、選択した波長帯域に分布する信号光を選択的に出力する可変波長帯域通過フィルタ、及び、Ｋ個（Ｋは２以上の自然数）の出力ポートを有し、前記可変波長帯域通過フィルタから出力される光データ信号を所定の波長周期で前記出力ポートに順次出力する周期性フィルタを有する波長選択器と、波長選択器から出力され、異なる波長の複数の信号光をそれぞれ電気信号に変換する光電変換器と、前記光電変換器から出力される信号を多重又は分離して前記大容量データ信号を出力する変換手段とをそれぞれ有することを特徴とする。
【００１０】
本発明では、送信端末において、大容量リアルタイムデータ信号を伝送回線の伝送速度に合致した複数の並列信号に変換し、これら並列信号を互いに波長の異なる光信号に変換し、波長多重して光データ信号として出力する。さらに、複数の送信端末に対して送信信号光の波長帯域を割り当て、各送信端末から出力され互いに異なる波長帯域に分布する光データ信号を主波長多重器により波長多重して伝送光として出力する。このように、多チャンネルの異なったデータを互いに異なる波長帯域の信号光として伝送するため、データの輻輳が発生しないデータ伝送システムが構築される。しかも、送信時にデータを伝送回線の速度に合致した速度に並列処理するため、高価な高速直列信号伝送システムを用いることなく、大容量リアルタイムデータを比較的安価な伝送装置で伝送することができる。
【００１１】
本発明によるデータ伝送システムの好適実施例は、時分割データ受信装置は、選択した波長帯域に分布する光データ信号光を選択的に出力する可変波長帯域通過フィルタと、Ｋ個（Ｋは２以上の自然数）の出力ポートを有し、前記可変波長帯域通過フィルタから出力される光データ信号を所定の波長周期で前記出力ポートに順次出力する周期性フィルタとを有する波長選択器を具えることを特徴とする。本発明では、受信側の波長選択器を共通化することができるため、一層低廉価が可能である。
【００１３】
本発明によるデータ送信装置では、データ源から出力される送信データが直列データの場合、前記データ変換手段は、入力した送信データをＫ１個の分離データに分離するデータ分離器として構成され、当該データ分離器から出力される分離データの速度をＢ１とし、前記送信データの伝送速度をＲ１とした場合、前記Ｋ１は、Ｒ１をＢ１で除算することにより得られる整数とする。
また、データ源から出力される送信データが並列データの場合、前記データ変換手段は、入力した送信データをＫ２個の多重データに多重化するデータ多重器として構成され、当該データ多重器から出力される多重データの速度をＢ２とし、前記送信データの伝送速度をＲ２とした場合、前記Ｋ２は、Ｒ２をＢ２で除算することにより得られる整数とする。
尚、除算した結果が整数ではない場合、小数を繰り上げた整数を分離データ数Ｋ１又は多重データ数Ｋ２として用いる。また、データ多重器において付加データを追加する場合、あらかじめ送信データの伝送速度に加算して多重データ数を定めることができる。
【００１５】
本発明による放送用映像伝送システムは、テレビカメラから出力される超高精細映像信号をそれぞれ異なる波長帯域の映像信号に変換し、時分割映像信号として出力するＮ個（Ｎは２以上の自然数）の送信端末と、
前記Ｎ個の送信端末から出力される映像信号を波長多重して伝送光として出力する主波長多重器と、
光伝送路を介して前記波長多重器に接続され、受信した伝送光をＭ個（Ｍは２以上の自然数）の伝送光に分配する分配器と、
前記分配器にそれぞれ接続され、受信した伝送光から、選択した送信端末から出力される映像信号を選択的に再生するＭ個（Ｍは２以上の自然数）の受信端末とを具え、
各送信端末は、テレビカメラから出力される超高精細映像信号を伝送回線の伝送速度に合致した複数の並列信号に変換する手段と、前記複数の並列信号を互いに波長の異なる光信号に変換する光変換器と、前記光信号を波長多重して所定の波長帯域の映像信号を出力する波長多重器とをそれぞれ有し、
各受信端末は、受信した伝送光から、選択した波長帯域に分布する信号光を選択的に出力する可変波長帯域通過フィルタ、及び、Ｋ個（Ｋは２以上の自然数）の出力ポートを有し、前記可変波長帯域通過フィルタからの出力光を所定の波長周期で各出力ポートに順次出力する周期性フィルタを有する波長選択器と、波長選択器から出力され、それぞれ異なる波長の複数の信号光をそれぞれ電気信号に変換するＫ個の光電変換器と、前記光電変換器から出力される信号を多重又は分離して前記超高精細映像データ信号を出力する変換手段とをそれぞれ有することを特徴とする。
【発明の効果】
【００１７】
本発明を用いれば、一般に高価な高速直列信号伝送システムを用いずに、超高精細映像などの大容量リアルタイムデータを比較的廉価な装置で、かつ輻輳なく伝送することができる。また、受信側の波長選択器が、受信側端末で共通化できるため、低廉化が可能である。従って、超高精細映像をリアルタイムで伝送する必要のある放送番組作成システムに好適なデータ伝送システムが構築される。
【発明を実施するための最良の形態】
【００１８】
以下では、本発明のデータ伝送システムについて説明し、詳細な構成及び動作について、順次説明していくこととする。
はじめに、本発明を放送用の映像信号伝送システムに適用した場合の全体構成について説明する。図１は本発明による放送用の映像信号伝送システムの一例を示す線図である。本例では、スタジオＡ〜Ｃと調整室Ｗ及びＹとの間で大容量のデータ信号をリアルタイムで伝送する。スタジオＡには、データ源である２台のテレビカメラが配置され、映像Ａ１及びＡ２が撮像される。これらの映像は切り換えられて１つの送信端末に供給される。スタジオＢにおいては、２台のカメラが配置され、映像Ｂ１及びＢ２が出力され、これらの映像Ｂ１及びＢ２は別々の送信端末を経て送信される。さらに、スタジオＣには１台のカメラが配置され、当該カメラから映像Ｃ１が出力され、送信端末を介して送信される。
【００１９】
各テレビカメラから出力される映像信号は送信端末により互いに異なる波長帯域の光信号に変換され、光ファイバを介して中継器１に設けた主波長多重器に送信される。主波長多重器は、送信端末から送信されてくる映像信号を波長多重して伝送光として送出する。伝送光は光伝送路を伝搬し、中継器２に設けた分配器に入力する。
【００２０】
分配器には多数の受信端末が接続され、調整室Ｗには４台の受信端末が配置され、調整室Ｙには２台の受信端末が配置されている。勿論、スタジオＢ及びＣにも受信端末が配置される。各受信端末において映像Ａ、Ｂ１、Ｂ２、Ｃのうちからいずれか１つの映像が選択され、再生されてモニタ上に表示される。
【００２１】
図２は本発明による大容量リアルタイムデータ伝送システムの一例を示すブロック図であり、送信端末及び受信端末の詳細な構成を示す。本例では、データ源から大容量リアルタイムデータが並列データとして送信端末に送信される例について説明する。データ源に接続されている送信端末としてＮ個の時分割多重送信器１１０−１〜１１０−Ｎを用いる。Ｎ系統のデータ源から出力される並列データの並列数をＰ１とし、各系統の並列データを送信並列データ１〜送信並列データＮとする。尚、Ｎ個の時分割多重送信器１１０−１〜１１０−Ｎは、送信光信号が分布する波長帯域が相違するだけで他の構成は同一であるため、時分割多重送信器１１０−１について説明する。
【００２２】
送信並列データ１は時分割多重送信器１１０−１に入力される。時分割多重送信器１１０−１はデータ多重器１１１、Ｋ個の光変換器１１２−１〜１１２−Ｋ、副波長多重器１１３を有する。送信並列データ１はデータ多重器１１１において、Ｋ個の多重データ１−１〜1−Ｋに多重される。多重データ１−１〜1−Ｋは光変換器１１２−１〜１１２−Ｋにより、送信信号光２−１〜２−Ｋに変換される。送信信号光２−１〜２−Ｋは副波長多重器１１３により波長多重され、 送信光群１として主波長多重器１４０に入力される。
【００２３】
送信並列データ１は Ｐ1個の直列データで構成されており、伝送速度の合計をトータル伝送速度Ｒ１［ｂｐｓ］とする。また、多重データ１−１〜1−Ｋ及び送信信号光２−１〜２−Ｋの速度をＢ１［ｂｐｓ］とする。一般に速度 Ｂ１［ｂｐｓ］を上昇させるほど伝送が困難になることから個々の装置・デバイスが高価になるため、Ｂ１［ｂｐｓ］の速度を伝送回線の速度に限定することで経済的な伝送システムにすることができる。このとき、多重データの個数Ｋは、Ｒ１／Ｂ１で表される。 Ｒ１／Ｂ１が割り切れない場合には小数を繰り上げた整数とする。また、多重ヘッダや誤り訂正符号など、データ多重器において付加データを追加する場合には、あらかじめ Ｒ１に加算して多重数を定める。なお、光変換器１１２−１〜１１２−Ｋの波長を決定する方法については後述する。
【００２４】
送信並列データ２〜Ｎについては、それぞれ時分割多重送信器１１０−２〜１１０−Ｎにおいて、 送信並列データ１と同様な処理を行い、送信光群２〜Ｎを出力し、中継器に配置されている主波長多重器１４０に入力する。主波長多重器１４０において、送信光群１〜Ｎをさらに波長多重することで伝送光１が形成される。
【００２５】
伝送光１は、光伝送路１５０を経て、別の中継器に配置されている１対 Ｍ分配器１６０によりＭ個に分配され、Ｍ個の受信端末である時分割分離受信器１７０−１〜１７０Ｍに入力する。なお、光伝送路１５０は、光ファイバや光増幅器で構成される。
【００２６】
Ｍ個の時分割分離受信器１７０−１〜１７０−Ｍはそれぞれ同一の構成であるため、時分割分離受信器１７０−１について説明する。時分割分離受信器１７０−１は波長選択器１７１、 Ｋ個の光電変換器１７２−１〜１７２−Ｋ、及びデータ分離器１７３を有する。波長選択器１７１では、はじめに、伝送光１を構成する送信光群１〜Ｎの中から、所望の送信並列データから変換された送信光群のみを選択し、次に、Ｋ波波長多重された送信光群を１光波ごとにＫ分波して、Ｋ個の受信信号光１−１〜１−Ｋを出力する。なお、波長選択器１７１の動作については、図３，図４を用いて詳しく後述する。受信信号光２−１〜２−Ｋは、 光電変換器１７２−１〜１７２−Ｋにより受信データ１−１〜１−Ｋに変換され、データ分離器１７３により、Ｐ1個の直列データで構成される受信並列データ１に変換出力される。なおデータ分離器１７３ではデータ多重器１１１で行われる信号処理の逆処理を行う。
【００２７】
時分割分離受信器１７０−２〜１７０−Ｍは、同様の手順により、伝送光１から所望の受信並列データ２〜Ｍを出力する。
【００２８】
以上が図２に示すデータ伝送システムの構成と信号の流れである。本システムでは、複数の散在する地点から同時に多チャンネルのデータを送信し、複数の受信点において全てのチャンネルのデータを同時に選択することができる。また、多チャンネルの異なったデータを異なる波長で伝送するため、原理的にデータの輻轤が発生しない。また、送信時にデータを適切な速度に並列化処理するため、装置の低廉化が可能である。
【００２９】
次に、送信する大容量リアルタイムデータが直列データである場合の構成法について述べる。図３は本発明が適用された実施例の大容量リアルタイムデータ配信システムの構成を示すブロック図である。なお、図２と同様の機能及び効果を有するブロックについては説明を省略する。
送信データがＮ系統ある場合、それぞれのデータを送信データ１〜送信データ Ｎとする。送信並列データ１は時分割分離送信器２１０−１に入力される。時分割分離送信器２１０−１はデータ分離器２１１、 Ｋ個の光変換器２１２−１〜２１２−Ｋ、副波長多重器２１３で構成する。送信データ１はデータ分離器２１１において、 Ｋ個の分離データ１−１〜１−Ｋに分離される。分離データ１−１〜１−Ｋは光変換器２１２−１〜２１２−Ｋにより、送信信号光２−１〜２−Ｋに変換される。送信信号光２−１〜２−Ｋは副波長多重器２１３により波長多重され、送信光群１として主波長多重器２４０に入力される。
【００３０】
送信データ１の伝送速度をＲ２［ｂｐｓ］とし、分離データ１−１〜１−Ｋ及び送信信号光２−１〜２−Ｋの速度をＢ２［ｂｐｓ］とする。このとき、分離データの個数Ｋは、 Ｒ２／Ｂ２で表される。 Ｈ２／Ｂ２が割り切れない場合には小数を繰り上げた整数とする。また、分離のためのヘッダや誤り訂正符号など、データ分離器において付加データを追加する場合には、あらかじめＲ２に加算して分離数Ｋを求める。
【００３１】
送信データ２〜Ｎについては、それぞれ、時分割分離送信器２１０−２〜２１０−Ｎにおいて、送信データ１と同様な処理を行い、送信光群２〜Ｎを出力し、主波長多重器２４０に入力する。
信号光群1〜Ｎ、主波長多重器２４０、光伝送路２５０、１対 Ｍ分配器２６０および伝送光２については、図２に示したシステムの動作と同様であるため省略する。
【００３２】
時分割多重受信器２７０−１は波長選択器２７１、Ｋ個の光電変換器２７２−１〜２７２−Ｋ、データ多重器２７３を有する。波長選択器２７１の動作は、図１の波長選択器１７１と同様の動作である。選択された受信信号光２−１〜２−Ｋは光電変換器２７２−１〜２７２−Ｋにより受信データ１−１〜１−Ｋに変換され、データ多重器２７３により直列データである受信データ１〜Ｍに変換出力される。なお、データ多重器２７３では、データ分離器２１１で行われる信号処理の逆処理を行う。
【００３３】
時分割多重受信器２７０−２〜２７０−Ｍは、同様の手順により、伝送光２から所望の受信データ２〜Ｍを出力する。
以上が図２に示す伝送システムの構成と信号の流れである。
【００３４】
次に、波長選択器１７１について詳しく説明する。
図４は、波長選択器１７１の一例の構成を示すブロック図である。図５は、伝送光１についての波長特性、可変光波長帯通過フィルタ３０１及び周期性フィルタ３０２の Ｋ個の出力ポート１〜Ｋの信号光波形を示す模式図である。
伝送光１は送信光群１〜Ｎの波長多重信号である。一例として、送信並列データ１〜Ｎが全て伝送されている状態では、図５のように並んだ波長多重信号となる。ここで、送信光群１の信号光波長をλ１１、λ１２、…  λ１Ｋ、送信光群２の信号光波長をλ２１,λ２２,…λ２Ｋ、送信光群Ｎの信号光波長をλＮ１，λＮ２、…λＮＫとする。
【００３５】
可変光波長帯通過フィルタ３０１は、所望の波長帯域の信号光を選択的に出力する。すなわち、各送信端末毎に規定されている波長帯域の送信信号光を選択的に出射させる作用を果たす。はじめに、可変光波長帯通過フィルタ３０１において、伝送光１の送信光群１〜Ｎのいずれかの光群が選択され、被帯域制限伝送光１に変換される。周期性フィルタ３０２は波長分離器として動作し、 Ｋ個の出力ポートを有している。その選択動作は図５に示すとおり、ポートごとに波長特性が異なる。各ポートの選択動作は全て一定の波長間隔λＦの周期性を有しており、全ての通過帯域が互いに重複しないように配置する。
ここで、光変換器１１２の信号光波長は周期性フィルタ３０２の通過帯域の配置と一致するように設定しなければならない。例えば、ポートＫの通過帯域に合致するように、λＮ１、λＮ２、…λＮＫを選ぶ。
【００３６】
可変光波長帯通過フィルタ３０１により、既に送信光群が選択された信号が周期性フィルタ３０２に入力されるため、受信信号光１−１〜１−Ｋはそれぞれ単一波長の信号光となる。図５のように、可変波長帯域通過フィルタ３０１により、送信光群Ｋが選択された場合、周期性フィルタのポート１からはλＮ１のみ、ポート２からはλＮ２のみ、ポート ＫからはλＮＫのみが出力される。従って、受信側で多チャンネルの信号光から所望の信号を選択する場合に可変波長帯域通過フィルタ３０１を設定するだけでよい。
以上が図４に示す波長選択器の構成と信号の流れである。
なお、図４及び図５に示すような周期性フィルタを実現する方法として、例えばマイクロリング共振器型光ルーティング素子を用いることができる。
【００３７】
本発明は上述した実施例だけに限定されず種々の変形へ変更が可能である。例えば、上述した実施例では、スタジオと調整室との間のデータ伝送を例にして説明したが、中継現場と局舎との間のデータ伝送にも適用することができる。また、データ源としてテレビカメラを用いたが、再生装置をデータ源として用い再生装置から出力されるデータの伝送にも利用することができ、また、受信端末からの出力をモニタ上に表示するだけでなく記録装置に記録する場合にも適用することができる。さらに、本発明によるデータ伝送システムは、放送映像伝送システム以外の各種大容量データ伝送システムにも適用することが可能である。
【図面の簡単な説明】
【００３８】
【図１】本発明によるデータ伝送システムを放送用の映像伝送システムに適用した例を示す線図である。
【図２】本発明によるデータ伝送システムの第１実施例を示す線図である。
【図３】本発明によるデータ伝送システムの第２実施例を示す線図である。
【図４】波長選択器の一例を示す線図である。
【図５】波長選択器の選択動作を示す模式図である。
【符号の説明】
【００３９】
１１０−１〜１１０−Ｎ  時分割多重送信器
１１１  データ多重器
１１２−１〜１１２−Ｎ  光変換器
１１３，２１３  副波長多重器
１４０，２４０  主波長多重器
１５０  光伝送路
１６０，２６０  １対Ｍ分配器
１７０−１〜１７０−Ｍ  時分割分離受信器
１７１  波長選択器
１７２−１〜１７２−Ｍ  光電変換器
１７３  データ分離器
２１０−１〜２１０−Ｎ  時分割分離送信器
２１１  データ分離器
２１２−１〜２１２−Ｋ  光変換器
２７０−１〜２７０−Ｍ  時分割多重分離器
２７２−１〜２７２−Ｋ  光電変換器
３０１  可変光波長帯域通過フィルタ
３０２  周期性フィルタ
【図１】
0004746448.tif 000002
【図２】
0004746448.tif 000003
【図３】
0004746448.tif 000004
【図４】
0004746448.tif 000005
【図５】
0004746448.tif 000006